(57)【特許請求の範囲】
【請求項１】
被検液中に含まれる特定成分と反応する第１センサ電極を内包する第１内部セルと、
前記第１内部セルの少なくとも一部を囲い、外部から被検液を取り入れて前記第１内部セル内へ供給するよう構成された第１外部セルと、を備える第１保液構造を有し、
前記第１内部セルは、取り入れた被検液を、静止状態としつつ、前記第１センサ電極へ接触させるように構成されている電気化学センサユニット。
【請求項２】
前記第１内部セルは、前記第１外部セル内に滞留している被検液を取り入れることが可能な第１流入口と、前記第１外部セル内をバイパスして前記第１内部セル内と前記第１外部セルの外側とを連通させる第１排気口と、を有し、
前記第１排気口のコンダクタンスが、前記第１流入口のコンダクタンスよりも小さくなるように構成されている請求項１に記載の電気化学センサユニット。
【請求項３】
前記第１排気口は、前記第１内部セル内の残留雰囲気の流通を許容し、被検液の流通は許容しないように構成されている請求項２に記載の電気化学センサユニット。
【請求項４】
前記第１内部セルの内部形状が、前記第１内部セル内へ被検液を取り入れる際に毛細管現象が発現するような形状となっている請求項１〜３のいずれか１項に記載の電気化学センサユニット。
【請求項５】
前記第１内部セルの内部形状が、前記第１内部セル内へ取り入れた被検液を表面張力により静止させるような形状となっている請求項１〜４のいずれか１項に記載の電気化学センサユニット。
【請求項６】
前記第１外部セルは、被検液を取り入れることが可能な第１採液口を有し、
前記第１採液口に向けて被検液をかけ流し、前記第１外部セルの内部へ被検液を取り入れている期間中において、前記第１内部セル内に取り入れた被検液を静止状態とすることが可能なように構成されている請求項１〜５のいずれか１項に記載の電気化学センサユニット。
【請求項７】
前記第１外部セルは、被検液を排出することが可能な第１排液口を有し、
前記第１排液口から被検液を排出している期間中において、前記第１内部セル内に取り入れた被検液を静止状態とすることが可能なように構成されている請求項１〜６のいずれか１項に記載の電気化学センサユニット。
【請求項８】
前記第１外部セルは、被検液を取り入れることが可能な第１採液口と、被検液を排出することが可能な第１排液口と、を有し、
前記第１排液口のコンダクタンスが、前記第１採液口のコンダクタンスよりも小さくなるように構成されている請求項１〜７のいずれか１項に記載の電気化学センサユニット。
【請求項９】
前記第１内部セルの少なくとも一部を囲む被検液の第１液浴を、前記第１外部セルの内部に発現させることが可能なように構成されている請求項８に記載の電気化学センサユニット。
【請求項１０】
被検液を静止状態として濃度測定を開始するタイミングにおいて、前記第１液浴を前記第１外部セルの内部に発現させることが可能なように構成されている請求項９に記載の電気化学センサユニット。
【請求項１１】
被検液を静止状態としながら行う濃度測定を終了するタイミングにおいて、前記第１液浴を前記第１外部セルの内部に消滅させずに維持することが可能なように構成されている請求項９または１０に記載の電気化学センサユニット。
【請求項１２】
被検液中に含まれる特定成分と反応する第２センサ電極を内包する第２内部セルと、
前記第２内部セルの少なくとも一部を囲い、外部から被検液を取り入れて前記第２内部セル内へ供給するよう構成された第２外部セルと、を備える第２保液構造を有し、
前記第２内部セルは、取り入れた被験液を、定常的な流れのある状態としつつ、前記第２センサ電極へ接触させるように構成されている請求項１〜１１のいずれか１項に記載の電気化学センサユニット。
【請求項１３】
前記第２内部セルは、前記第２外部セル内に滞留している被検液を取り入れることが可能な第２流入口と、前記第２内部セル内から被検液を排出することが可能な第２排液口と、を有し、
前記第２内部セルの排液口のコンダクタンスが、前記第２流入口のコンダクタンスよりも小さくなるように構成されている請求項１２に記載の電気化学センサユニット。
【請求項１４】
前記第２内部セルの内部形状が、前記第２内部セル内へ被検液を取り入れる際に毛細管現象が発現するような形状となっている請求項１２または１３に記載の電気化学センサユニット。
【請求項１５】
前記第２内部セルの内部形状が、前記第２内部セル内へ取り入れた被検液を表面張力により定常的な流れのある状態とするような形状となっている請求項１２〜１４のいずれか１項に記載の電気化学センサユニット。
【請求項１６】
前記第２外部セルは、外部から被検液を取り入れることが可能な第２採液口を有し、
前記第２採液口に向けて被検液をかけ流し、前記第２外部セルの内部へ被検液を取り入れている期間中において、前記第２内部セル内に取り入れた被検液を定常的な流れのある状態とすることが可能なように構成されている請求項１２〜１５のいずれか１項に記載の電気化学センサユニット。
【請求項１７】
前記第２外部セルは、被検液を排出することが可能な第２排液口を有し、
前記第２排液口から被検液を排出している期間中において、前記第２内部セル内に取り入れた被検液を定常的な流れのある状態とすることが可能なように構成されている請求項１２〜１６のいずれか１項に記載の電気化学センサユニット。
【請求項１８】
前記第２外部セルは、被検液を取り入れることが可能な第２採液口と、被検液を排出することが可能な第２排液口と、を有し、
前記第２排液口のコンダクタンスが、前記第２採液口のコンダクタンスよりも小さくなるように構成されている請求項１２〜１７のいずれか１項に記載の電気化学センサユニット。
【請求項１９】
前記第２内部セルの少なくとも一部を囲む被検液の第２液浴を、前記第２外部セルの内部に発現させることが可能なように構成されている請求項１８に記載の電気化学センサユニット。
【請求項２０】
被検液を定常的な流れのある状態として濃度測定を開始するタイミングにおいて、前記第２液浴を前記第２外部セルの内部に発現させることが可能なように構成されている請求項１９に記載の電気化学センサユニット。
【請求項２１】
被検液を定常的な流れのある状態としながら行う濃度測定を終了するタイミングにおいて、前記第２液浴を前記第２外部セルの内部に消滅させずに維持することが可能なように構成されている請求項１９または２０に記載の電気化学センサユニット。
【発明の詳細な説明】
【技術分野】
【０００１】
本開示は、体液などの被検液中に含まれる特定成分の濃度を測定する電気化学センサユニットに関する。
【背景技術】
【０００２】
近年、体液などの被検液を接触させたセンサ電極に対して電圧掃引操作等を行って所定の反応を進行させ、液中に含まれる特定成分の濃度を測定する電気化学センサユニットが知られている（例えば、特許文献１参照）。
【先行技術文献】
【特許文献】
【０００３】
【特許文献１】特開２０１９−０１２０５６号公報
【発明の概要】
【発明が解決しようとする課題】
【０００４】
本開示は、被検液中に含まれる特定成分の濃度を安定して正確に測定することができる電気化学センサユニットを提供することを目的とする。
【課題を解決するための手段】
【０００５】
本開示の一態様によれば、
被検液中に含まれる特定成分と反応するよう構成されたセンサ電極と、
被検液を、静止状態としつつ、センサ電極へ接触させるように構成された保液構造と、
を備える電気化学センサユニットが提供される。
【０００６】
本開示の他の態様によれば、
被検液中に含まれる特定成分と反応するよう構成されたセンサ電極と、
被検液を、定常的な流れのある状態としつつ、センサ電極へ接触させるように構成された保液構造と、を備える電気化学センサユニットが提供される。
【発明の効果】
【０００７】
本開示によれば、被検液中に含まれる特定成分の濃度を安定して正確に測定することができる電気化学センサユニットを提供することが可能となる。
【図面の簡単な説明】
【０００８】
【図１】本開示の一態様における測定系１の構成を示す模式図である。
【図２】本開示の一態様における保液構造２０ｓの概略構造を示す断面図である。
【図３】本開示の他の態様における保液構造２０ｆの概略構造を示す断面図である。
【図４】本開示の実施例におけるセンサユニット１００の斜視図である。
【図５】（ａ）は本開示の実施例におけるセンサユニット１００の平面断面図であり、（ｂ）は本開示の実施例におけるセンサユニット１００の側面断面図である。
【発明を実施するための形態】
【０００９】
＜発明者が得た知見＞
電気化学反応を用いて被検液（液状の被験試料）中に含まれる特定物質の濃度を測定する際、被検液を静止状態としつつセンサ電極に接触させて測定する方がよい場合と、被検液を定常的な流れのある状態（安定なフロー状態）としつつセンサ電極に接触させて測定する方がよい場合と、の２通りがある。
【００１０】
前者の場合とは、例えば、被検液中における尿素、尿酸、アスコルビン酸の濃度を測定する場合が挙げられる。これらの物質は、被検液中における拡散のみによって、充分な感度をもって濃度測定を行うことができる傾向がある。ここで、センサ電極に接触させる被検液に動き（流れ）があると、センサ電極に供給される物質の量がこの液の動きによって変化し、その結果、濃度の測定結果が不安定となる（精度が安定しない）場合がある。そのため、これらの物質の濃度測定を行う際には、被検液を静止状態としつつセンサ電極に接触させて測定することが好ましい。これより、測定の安定性や精度を高めることが可能となる。また、センサ電極の表面に、酵素含有膜やイオン交換膜などの表面装飾膜が設けられている場合にも、同様の傾向が得られる。すなわち、被検液を静止状態としつつセンサ電極に対して接触させてその状態を維持することにより、測定の安定性、精度を高めることが可能となる傾向がある。
【００１１】
後者の場合とは、例えば、被検液中におけるクレアチニンなどの物質の濃度を測定する場合が挙げられる。クレアチニンなどの物質は、被検液中における拡散のみによっては、測定の感度が不足する傾向がある。そこで、センサ電極に対して、被検液を流れのある状態（フロー状態）で接触させ、センサ電極の表面へ供給する特定物質の量をこの液の流れに応じて増やすことで、測定の感度を増幅させることが可能となる。ただし、その際における被検液の流れは、センサ電極に対して略一定の流路、流速をもって安定して流れ続ける状態、いわゆる、定常的な流れのある状態（安定したフロー状態）とすることが好ましい。フロー状態が不安定であると、センサ電極に供給される特定成分の量が、フロー状態の変動によって変化してしまい、その結果、濃度測定の結果が不安定となる（精度が安定しなくなる）ためである。なお、クレアチニンは、センサ電極の表面に形成されている酸化層（ＣｕＯ層）をエッチングし、下地である銅層（Ｃｕ層）を露出させるよう作用する。そして、このＣｕ層の露出によって、濃度検出が可能となり、また、感度が向上することになる。クレアチニンを含む被検液をフロー状態としつつセンサ電極に対して接触させると、センサ電極へのクレアチニンの供給量が増えることで、酸化層のエッチングが効率的に進行し、結果として、クレアチニンの濃度測定を、より速やかに開始し、また、より感度よく行うことが可能となるという副次的な効果が得られるようになる。
【００１２】
本開示は、上述の知見に鑑みなされたものであり、被検液中に含まれる特定物質の濃度を測定する際、センサ電極に接触させる被検液を速やかに静止状態とし、或いは、速やかに安定的なフロー状態とし、これらのうち少なくともいずれかにより、濃度測定の安定性、正確性を高めることが可能な技術を開示するものである。
【００１３】
＜システム構成＞
図１に示す測定系（システム）１は、一例として、電気化学センサユニット（センサユニット）１００と、測定器２００と、判定支援装置３００と、を備えている、測定系１は、被験液中に含まれる種々の成分（特定物質、被験物質）の濃度等を測定し、その結果に基づいて、被験者の健康状態を示唆する判定結果データ等を出力することが可能なように構成されている。
【００１４】
被検液としては、尿、唾液、痰、鼻水、涙、汗、血液などの各種体液が挙げられる。被検液が尿である場合、特定物質としては、尿素、アンモニア、クレアチニン、尿酸、アミノ酸、アスコルビン酸、リン、シュウ酸、亜硝酸塩、ナトリウム、カリウム、カルシウム、タンパク質、尿糖、ケトン体、ビリルビン、ウロビリノーゲン、サイトカイン、コルチゾール、赤血球、白血球、血小板などが挙げられる。
【００１５】
センサユニット１００は、電気化学反応を生じさせるためのセンサ電極１０を１つ以上備えている。センサ電極１０は、例えば、参照電極、作用電極、対向電極といった複数の電極を含みうる。センサ電極１０を構成するこれらの電極は、測定対象とする特定成分に応じて、形状、材料などが適宜決定される。作用電極等の特定の電極の表面には、特定成分のみを透過させる機能膜や、特定成分のみと反応する機能膜として、酵素含有膜、イオン交換膜などの所定の表面装飾膜が設けられる場合がある。
【００１６】
センサユニット１００は、センサ電極１０に接触させる被検液を保持する保液構造２０を備えている。保液構造２０には、被検液を静止状態としつつセンサ電極１０に接触させる構造（保液構造２０ｓ）や、被検液をフロー状態としつつセンサ電極１０に接触させる構造（保液構造２０ｆ）がある。これらの具体的態様については後述する。
【００１７】
測定器２００は、センサユニット１００を装着可能に構成され、図示しない導体配線を介してセンサ電極１０に電気的に接続されている。被験液を保液構造２０により保持しつつセンサ電極１０に接触させ、測定器２００からセンサ電極１０に対して所定の電圧掃引走査等を行うことにより、被検液中に含まれる特定成分を電気分解等させ、その際に生じる反応の大きさから、特定成分の濃度等を測定することが可能なように構成されている。測定器２００は、上述の測定によって得られた特定成分の濃度を示すデータを、無線通信手段や有線通信手段等を通じて、判定支援装置３００に対して送信することが可能なように構成されている。
【００１８】
判定支援装置３００は、ＣＰＵ、ＲＡＭ、ストレージ、出力機能、および、通信機能などを備えたコンピュータ（スマートフォン、タブレット、ＰＣ等）として構成されている。判定支援装置３００は、所定のタイミングで受信した濃度データに基づいて、被験者の健康状態を示唆する判定結果データ等を、被験者や、他の情報処理装置へと出力することが可能なように構成されている。
【００１９】
なお、図１に示すセンサユニット１００は、上述したように測定器２００とは着脱可能に構成されており、また、電圧掃引操作等の複雑な機能を有しておらず、非常に簡素な構成となっている。センサユニット１００は、低コストで実現され、使い捨てでの使用が可能である。これにより、被験者は、被験者の健康状態を示唆する判定結果データ等を、例えば、毎日、或いは、一日に数回といった高い頻度で、取得することが可能となっている。
【００２０】
＜保液構造の一態様：静止セル＞
以下に、被検液を、静止状態としつつ、センサ電極へ接触させるように構成された保液構造２０ｓの構成例について、図２を用いて説明する。
【００２１】
保液構造２０ｓは、センサ電極１０ｓを内包する内部セル（内槽）２５ｓと、内部セル２５ｓの少なくとも一部を囲む外部セル（外槽）２１ｓと、の二重構造（二重セル構造、二重槽構造）を有している。なお、本明細書において、「外部セルが内部セルの少なくとも一部を囲む」とは、外部セルが内部セルの全体を囲む場合（全体を内包する場合）、および、外部セルが内部セルの一部を囲む場合のうち、少なくともいずれかの場合を意味している。また、ここでいう「外部セルが内部セルの一部を囲む」とは、外部セルが内部セルの一部を内包する場合、および、外部セルが内部セルを内包していないものの、外部セルと内部セルとが隔壁１枚を隔てて隣接している場合のうち、少なくともいずれかの場合を意味している。本態様では、外部セル２１ｓが内部セル２５ｓの全体を内包（収容）している場合を示している。
【００２２】
（外部セル２１ｓ）
外部セル２１ｓは、内部セル２５ｓの少なくとも一部（ここでは全体）を内包する中空容器として構成されている。外部セル２１ｓの内部空間、すなわち、内部セル２５ｓと外部セル２１ｓとの間隙には、外部から被検液を取り入れて保持することが可能な保液空間２８ｓが構成されている。
【００２３】
外部セル２１ｓの一端側には、外部から被検液を取り入れることが可能な採液口２２ｓが設けられている。また、外部セル２１ｓの他端側、例えば、内包する内部セル２５ｓを挟んで採液口２２ｓと対向する側には、保液空間２４ｓ内から被検液を排出することが可能な排液口２３ｓが設けられている。
【００２４】
採液口２２ｓのコンダクタンス、すなわち、採液時の被検液のコンダクタンスは、採液口２２ｓの形状、大きさなどによって調整することができる。また、排液口２３ｓのコンダクタンス、すなわち、排液時の被検液のコンダクタンスは、排液口２３ｓの形状、大きさなどによって調整することができる。本態様においては、これらがそれぞれ調整されることで、排液時の被検液のコンダクタンスが、採液時の被検液のコンダクタンスよりも小さくなるように構成されている。
【００２５】
なお、本明細書において、コンダクタンスとは、流体の流れやすさ（例えば、採液のしやすさ、排液のしやすさ）を意味している。そして、被検液のコンダクタンスが大きいとは、被検液の流動抵抗（流入抵抗、排出抵抗）が小さいこと、すなわち、被検液を流しやすいこと（採液しやすいこと、排液しやすいこと）を意味している。また、被検液のコンダクタンスが小さいとは、被検液の流動抵抗（流入抵抗、排出抵抗）が大きいこと、被検液を流しにくいこと（採液しにくいこと、排液しにくいこと）を意味している。
【００２６】
以下、この点について詳しく説明する。なお、以下の説明では、保液構造２０ｓを備えるセンサユニット１００が、図１に模式的に示すように、所定の姿勢（使用時姿勢）で保持されていることを前提としている。ここで「使用時姿勢」とは、被検液の採液や濃度測定を行う際における、センサユニット１００がとるべき望ましい姿勢のことである。センサユニット１００が使用時姿勢で保持されている間は、採液口２２ｓが鉛直上方寄りを向き、排液口２３ｓが鉛直下方寄りを向き、かつ、これらの中心を結ぶ線Ｌと鉛直方向とのなす角Ｒが、例えば、６０°の範囲内、好ましくは４５°の範囲内となっているものとする。
【００２７】
採液時における被検液のコンダクタンスは、センサユニット１００を上述の使用時姿勢で保持しつつ、保液構造２０ｓの上方から採液口２２ｓに向けて被検液をかけ流した際に、保液空間２４ｓ内へ被検液を取り込むことができるような大きさに設定されている。かけ流しの方向から見た採液口２２ｓの形状は、採液時の被検液のコンダクタンスを低下させにくい形状、例えば、正方形や円形などの非扁平な形状とすることが好ましい。
【００２８】
排液時における被検液のコンダクタンスは、センサユニット１００を上述の使用時姿勢で保持しつつ、保液構造２０ｓへ向けた被検液のかけ流しを継続した際に、排液口２３ｓを介した被検液の排出が可能であるとともに、排液口２３ｓを介して排出される被検液の流量（排液流量）が、採液口２２ｓを介して取り込まれる被検液の流量（採液流量）よりも小さくなるような大きさに設定されている。排出方向から見た排液口２３ｓの形状は、正方形や円形などとしてもよいが、排液時の被検液のコンダクタンスを低下させやすい形状、例えば、長方形や長円などの扁平な形状（スリット形状）とすることもできる。
【００２９】
上述の構成によれば、センサユニット１００を使用時姿勢で保持しつつ、保液構造２０ｓへ向けた被検液のかけ流しを継続することにより、保液空間２４ｓ内に、被検液を一時的に滞留させることが可能となる。そして、かけ流し時間の経過とともに、保液空間２４ｓ内に滞留させた被検液の液面を徐々に上昇させ（滞留させた被検液の量を徐々に増加させ）、内部セル２５ｓの少なくとも一部を、被検液中に浸漬させることが可能となる。すなわち、外部セル２１ｓ内に、内部セル２５ｓの少なくとも一部、好ましくは全体（ここでは全体）を囲む被検液の液浴を発現させることが可能となる。
【００３０】
この液浴は、上述のかけ流しを開始してから所定時間が経過することで発現する。そして、かけ流しが終了した後も、所定の期間中は液浴が維持される。そして、かけ流しを終了した状態で、保液構造２０ｓを使用時姿勢でさらに長い間保持し続けると、保液空間２４ｓ内からほぼすべての被検液が排出され、液浴は完全に消滅することとなる。
【００３１】
本明細書では、液浴が発現する期間を期間Ｓ１とも称する。期間Ｓ１の開始タイミング（液浴が発現するタイミング）や終了タイミング（液浴が消滅するタイミング）は、保液空間２４ｓの容積や、採液時および排液時の被検液のコンダクタンス等を調整することによって、幅広く制御することが可能である。そして例えば、期間Ｓ１の開始タイミングを、後述する期間Ｓ２（被検液を静止状態としつつ、センサ電極１０ｓへ接触させ、濃度測定を行う期間）の開始タイミングよりも、先のタイミングとすることができる。すなわち、濃度測定の開始時点において、液浴を予め発現させておくことができる。また、期間Ｓ１の終了タイミングを、後述する期間Ｓ２の終了タイミングよりも後のタイミングとすることもできる。すなわち、少なくとも濃度測定の開始から終了の時点にかけて、液浴を消滅させずに維持することができる。
【００３２】
（内部セル２５ｓ）
内部セル２５ｓは、センサ電極１０ｓを内包する中空セルとして構成されている。内部セル２５ｓの内部には、保液空間２８ｓ内に滞留した被検液を取り入れて保持することが可能な保液空間２８ｓが構成されている。
【００３３】
内部セル２５ｓの一端側には、保液空間２４ｓ内に滞留している被検液を取り入れることが可能な流入口２６ｓが設けられている。
【００３４】
流入口２６ｓは、採液口２２ｓと対向しない位置であって、例えば、内部セル２５ｓの側壁のうち下方側等に設けるのが好ましい。このように構成することで、採液口２２ｓに向けてかけ流しされた被検液が、流入口２６ｓを介して保液空間２８ｓ内へ直接流入することを抑制することが可能となる。すなわち、採液口２２ｓに向けてかけ流された被検液を、保液空間２４ｓ内にいったん滞留させてその流速を低下させ、その後、この減速された被検液を、流入口２６ｓを介して保液空間２８ｓ内へ取り入れることにより、保液空間２８ｓ内への被検液の流入をソフトに行うことが可能となる。その結果、被検液のかけ流しの実行期間中において、内部セル２５ｓ内における被検液の撹拌状態や乱流状態の発生を抑制することができ、内部セル２５ｓ内において、被検液を、速やかに、実質的に流れのない状態、すなわち、静止状態とすることが可能となる。
【００３５】
内部セル２５ｓの他端側には、保液空間２４ｓをバイパスして保液空間２８ｓと外部セル２１ｓ外の空間とを連通させる排気口２７ｓが設けられている。排気口２７ｓは、流入口２６ｓを介して保液空間２８ｓ内へ被検液を取り入れる際に、保液空間２８ｓ内に残留している雰囲気を、外部セル２１ｓの外部へ逃がすベントラインとして作用する。このように構成することで、被検液を保液空間２８ｓ内へ取り込む際、保液空間２８ｓ内の残留雰囲気を外部へ逃がし、保液空間２８ｓ内への被検液の取り込みを促し、保液空間２８ｓ内の全体を、被検液によって充填することが、容易かつ確実に行えるようになる。なお、排気口２７ｓは、センサユニット１００を上述した使用時姿勢で保持した際に、排気口２７ｓが鉛直上方側に位置するような場所に設けるのが好ましい。これにより、保液空間２８ｓ内からの雰囲気の排出を促し、保液空間２８ｓ内の全体を被検液によって充填させるという上述の作用が、より確実に得られるようになる。
【００３６】
なお、排気口２７ｓのコンダクタンスは、流入口２６ｓのコンダクタンスよりも小さくなるように構成することが好ましい。さらには、排気口２７ｓは、保液空間２８ｓ内の残留雰囲気の流通は許容するものの、被検液の流通は許容しないような構成とすることが好ましい。このように構成することで、保液空間２８ｓ内を被検液によって充填した後、保液空間２８ｓ内の被検液が排気口２７ｓを介して外部セル２１ｓの外部へ流出しようとする動きを抑制することが可能となる。また、保液空間２８ｓ内を被検液によって充填した後、流入口２６ｓを介して保液空間２８ｓ内に被検液が流入しようとする動きを抑制することも可能となる。これらの結果、保液空間２８ｓ内において、被検液を、実質的に流れのない状態、すなわち、静止状態とすることが、速やか、かつ、確実に行えるようになる。なお、排気口２７ｓの大きさ、形状を、その内部において被検液の表面張力が大きく作用するような大きさ、形状とする（流路を狭くしたり、湾曲させたり、長くしたりする）ことにより、排気口２７ｓ内において、気体の流通を許容しつつ、被検液の流通のみを選択的に抑制することが可能となる。なお、排気口２７ｓに、気体のみを通過させ、液体の通過を阻害するような機能膜（気液分離膜、気泡分離膜）を設けるようにしてもよい。
【００３７】
上述の構成によれば、センサユニット１００を使用時姿勢で保持しつつ、被検液のかけ流しを行うことで、保液空間２８ｓ内へ被検液を流入させ、かつ、被検液を静止状態（実質的に流れのない状態）としつつ、センサ電極１０ｓへ接触させることが可能となる。そして、静止状態の被検液をセンサ電極１０ｓへ接触させた状態で、センサ電極１０ｓに対して電圧掃引操作等を行うこと、すなわち、被検液中に含まれる特定成分の濃度測定を静止状態で行うことが可能となる。このように構成された内部セル２５ｓを、本明細書では、静止セルとも称する。
【００３８】
ここで、内部セル２５ｓの内部形状を、毛細管現象が発現することで内部セル２５ｓ内への被検液の取り入れが促されるとともに、内部セル２５ｓ内へ取り入れた被検液の表面張力が作用することで内部セル２５ｓ内において被検液が静止しやすくなる形状としてもよい。例えば、内部セル２５ｓ内の内部形状を、扁平な形状とすることによって、内部セル２５ｓ内への毛細管現象を利用した被検液の取り入れ作用が効果的に得られ、また、内部セル２５ｓ内へ取り入れた被検液の表面張力を利用した停止作用が効果的に得られるようになる。
【００３９】
なお、この静止状態は、上述のかけ流しを開始してから所定時間が経過することで発現する。そして、かけ流しが終了した後も、所定の期間中は静止状態が維持される。そして、かけ流しを終了した状態で、保液構造２０ｓを使用時姿勢でさらに長い間保持し続けると、保液空間２８ｓ内の被検液は保液空間２４ｓ内へと逆流し（静止状態が解除され）、排液口２３ｓを介して排出されることになる。ただし、内部セル２５ｓ内の内部形状を上述のように扁平とした場合等には、内部セル２５ｓ内に、被検液の一部がわずかに残留する場合もある。
【００４０】
本明細書では、被検液を静止状態としつつ、センサ電極１０ｓへ接触させ、濃度測定を行う期間を、期間Ｓ２とも称する。上述したように、期間Ｓ１の開始、終了タイミングは、それぞれ、幅広く調整することが可能である。そのため、期間Ｓ２の開始タイミング（濃度測定の開始タイミング）において、液浴を予め発現させておくことができる。また、期間Ｓ２の終了タイミング（濃度測定の終了タイミング）において、液浴を消滅させずに維持することができる。
【００４１】
（本態様により得られる効果）
本態様によれば、以下に示す１つ、または、複数の効果が得られる。
【００４２】
（ａ）保液空間２８ｓ内に取り入れた被検液を静止状態としつつ、センサ電極１０ｓへ接触させることが可能となる。そして、この静止状態で、被検液中に含まれる特定成分の濃度測定を行うことが可能となる。その結果、尿素、尿酸、アスコルビン酸などの物質、すなわち、被検液中における拡散のみによって、充分な感度をもって濃度測定を行うことができる物質の濃度を測定する際に、濃度測定の安定性、精度等を高めることが可能となる。また、センサ電極１０ｓの表面に酵素含有膜やイオン交換膜などの表面装飾膜が設けられている場合において、濃度測定の安定性、精度等を高めることが可能となる。
【００４３】
（ｂ）採液口２２へ向けた被検液のかけ流しの実行中であっても、すなわち、保液空間２４ｓ内において被検液の撹拌状態や乱流状態が発生している状態であっても、保液空間２８ｓ内に取り入れた被検液を速やかに静止させることが可能となる。これにより、被検液を静止状態とすることが望ましい上述の濃度測定を、速やかに開始することが可能となる。
【００４４】
（ｃ）排液口２３から被検液を排出している最中であっても、すなわち、保液空間２４ｓ内において被検液の流れが発生している状態であっても、保液空間２８ｓ内に取り入れた被検液を静止状態のまま維持することが可能となる。これにより、被検液を静止状態とすることが望ましい上述の濃度測定を、安定して継続することが可能となる。
【００４５】
（ｄ）内部セル２５ｓの少なくとも一部を囲む被検液の液浴を発現させ、内部セル２５ｓ内に取り込まれた被検液の温度低下を抑制することが可能となる。結果として、測定結果が温度に大きく影響を受けるような測定を行う場合等においても、測定の安定性や精度を高めることが可能となる。
【００４６】
（ｅ）保液空間２４ｓの容積や、採液時、排液時における被検液の各コンダクタンス等を調整することにより、液浴が発現するタイミングや液浴が消滅するタイミングを、幅広く制御することが可能である。これにより、被検液を静止状態として濃度測定を開始するタイミングにおいて、液浴を確実に発現させておくことが可能となる。また、被検液を静止状態としながら行う濃度測定を終了するタイミングにおいて、液浴を消滅させずに維持することが可能となる。これらの結果、上述した効果が、確実に得られるようになる。
【００４７】
（ｆ）かけ流しを終了した状態で、センサユニット１００を使用時姿勢で保持し続けることにより、保液空間２４ｓ、２８ｓ内から、ほぼすべての被検液を排出することが可能となる。その結果、使用済みのセンサユニット１００を、容易に廃棄することが可能となる。
【００４８】
＜保液構造の他の態様：フローセル＞
以下に、被検液を、定常的な動きのある状態としつつ、センサ電極へ接触させるように構成された保液構造２０ｆの構成例について、図３を用いて説明する。
【００４９】
保液構造２０ｆは、センサ電極１０ｆを内包する内部セル（内槽）２５ｆと、内部セル２５ｆの少なくとも一部を囲む外部セル（外槽）２１ｆと、の二重構造（二重セル構造、二重槽構造）を有している。なお、上述したように、本明細書において、「外部セルが内部セルの少なくとも一部を囲む」とは、外部セルが内部セルの全体を囲む場合（全体を内包する場合）、および、外部セルが内部セルの一部を囲む場合のうち、少なくともいずれかの場合を意味している。また、ここでいう「外部セルが内部セルの一部を囲む」とは、外部セルが内部セルの一部を内包する場合、および、外部セルが内部セルを内包していないものの、外部セルと内部セルとが隔壁１枚を隔てて隣接している場合のうち、少なくともいずれかの場合を意味している。本態様では、外部セル２１ｆが内部セル２５ｆの一部を内包（収容）している場合を示している。
【００５０】
（外部セル２１ｆ）
外部セル２１ｆは、内部セル２５ｆの少なくとも一部（ここでは一部）を内包する中空容器として構成されている。外部セル２１ｆの内部空間、すなわち、内部セル２５ｆと外部セル２１ｆとの間隙には、外部から被検液を取り入れて保持することが可能な保液空間２８ｆが構成されている。
【００５１】
外部セル２１ｆの一端側には、外部から被検液を取り入れることが可能な採液口２２ｆが設けられている。また、外部セル２１ｆの他端側、例えば、内包する内部セル２５ｆを挟んで採液口２２ｆと対向する側には、保液空間２４ｆ内から被検液を排出することが可能な排液口２３ｆが設けられている。なお、本態様では、後述するように、内部セル２５ｆの一端に流入口２６ｆが開設されており、排液口２３ｆによる保液空間２４ｆからの被検液の排出は、流入口２６ｆ、および、内部セル２５ｆ内の保液空間２８ｆを順次介して行われるよう構成されている。排液口２３ｆは、保液空間２４ｆから被検液を排出する排出口としてだけでなく、保液空間２８ｆから被検液を排出する排液口として機能するとも考えることができる。なお、これらをそれぞれ個別に設けるようにしてもよい。
【００５２】
採液口２２ｆのコンダクタンス、すなわち、採液時の被検液のコンダクタンスは、採液口２２ｆの形状、大きさなどによって調整することができる。また、排液口２３ｆのコンダクタンス、すなわち、排液時の被検液のコンダクタンスは、排液口２３ｆの形状、大きさ、流入口２６ｆの形状、大きさ、保液空間２８ｆの形状、大きさなどによって調整することができる。本態様においては、これらがそれぞれ調整されることで、排液時の被検液のコンダクタンスが、採液時の被検液のコンダクタンスよりも小さくなるように構成されている。
【００５３】
なお、上述したように、本明細書において、コンダクタンスとは、流体の流れやすさ（例えば、採液のしやすさ、排液のしやすさ）を意味している。そして、被検液のコンダクタンスが大きいとは、被検液の流動抵抗（流入抵抗、排出抵抗）が小さいこと、すなわち、被検液を流しやすいこと（採液しやすいこと、排液しやすいこと）を意味している。また、被検液のコンダクタンスが小さいとは、被検液の流動抵抗（流入抵抗、排出抵抗）が大きいこと、被検液を流しにくいこと（採液しにくいこと、排液しにくいこと）を意味している。
【００５４】
以下、この点について詳しく説明する。なお、以下の説明では、保液構造２０ｆを備えるセンサユニット１００が、図１に模式的に示すように、所定の姿勢（使用時姿勢）で保持されていることを前提としている。ここで「使用時姿勢」とは、被検液の採液や濃度測定を行う際における、センサユニット１００がとるべき望ましい姿勢のことである。センサユニット１００が使用時姿勢で保持されている間は、採液口２２ｆが鉛直上方寄りを向き、排液口２３ｆが鉛直下方寄りを向き、かつ、これらの中心を結ぶ線Ｌと鉛直方向とのなす角Ｒが、例えば、６０°の範囲内、好ましくは４５°の範囲内となっているものとする。
【００５５】
採液時における被検液のコンダクタンスは、センサユニット１００を上述の使用時姿勢で保持しつつ、保液構造２０ｆの上方から採液口２２ｆに向けて被検液をかけ流した際に、保液空間２４ｆ内へ被検液を取り込むことができるような大きさに設定されている。かけ流しの方向から見た採液口２２ｆの形状は、採液時の被検液のコンダクタンスを低下させにくい形状、例えば、正方形や円形などの非扁平な形状とすることが好ましい。
【００５６】
排液時における被検液のコンダクタンスは、センサユニット１００を上述の使用時姿勢で保持しつつ、保液構造２０ｆへ向けた被検液のかけ流しを継続した際に、流入口２６ｆ、保液空間２８ｆ、排液口２３ｆを介した被検液の排出が可能であるとともに、排液口２３ｆを介して排出される被検液の流量（排液流量）が、採液口２２ｆを介して取り込まれる被検液の流量（採液流量）よりも小さくなるような大きさに設定されている。なお、排液口２３ｆのコンダクタンスは、流入口２６ｆや保液空間２８ｆの各コンダクタンスよりも小さくなっている。排出方向からみた排液口２３ｆの形状は、正方形や円形などとしてもよいが、排液時の被検液のコンダクタンスを低下させやすい形状、例えば、長方形や長円などの扁平な形状（スリット形状）とすることもできる。
【００５７】
上述の構成によれば、センサユニット１００を使用時姿勢で保持しつつ、保液構造２０ｓへ向けた被検液のかけ流しを継続することにより、保液空間２４ｆ、２８ｆ内に、被検液を一時的に滞留させることが可能となる。そして、かけ流し時間の経過とともに、保液空間２８ｆ内を被検液で満たし、また、保液空間２４ｆ内に滞留させた被検液の液面を徐々に上昇させ（滞留させた被検液の量を徐々に増加させ）、内部セル２５ｆの少なくとも一部を、被検液中に浸漬させることが可能となる。すなわち、外部セル２１ｆ内に、内部セル２５ｆの少なくとも一部、好ましくは全体（ここでは一部）を囲む被検液の液浴を発現させることが可能となる。
【００５８】
この液浴は、上述のかけ流しを開始してから所定時間が経過することで発現する。そして、かけ流しが終了した後も、所定の期間中は液浴が維持される。そして、かけ流しを終了した状態で、センサユニット１００を使用時姿勢でさらに長い間保持し続けると、保液空間２４ｆ内からほぼすべての被検液が排出され、液浴は完全に消滅することとなる。
【００５９】
本明細書では、液浴が発現する期間を期間Ｆ１とも称する。期間Ｆ１の開始タイミング（液浴が発現するタイミング）や終了タイミング（液浴が消滅するタイミング）は、保液空間２４ｆの容積や、採液時および排液時の被検液のコンダクタンス等を調整することによって、幅広く制御することが可能である。そして例えば、期間Ｆ１の開始タイミングを、後述する期間Ｆ２（被検液を安定したフロー状態としつつ、センサ電極１０ｆへ接触させ、濃度測定を行う期間）の開始タイミングよりも、先のタイミングとすることができる。すなわち、濃度測定の開始時点において、液浴を予め発現させておくことができる。また、期間Ｆ１の終了タイミングを、後述する期間Ｆ２の終了タイミングよりも後のタイミングとすることもできる。すなわち、少なくとも濃度測定の開始から終了の時点にかけて、液浴を消滅させずに維持することができる。
【００６０】
（内部セル２５ｆ）
内部セル２５ｆは、センサ電極１０ｆを内包する中空セルとして構成されている。内部セル２５ｆの内部には、保液空間２８ｓ内に滞留した被検液を取り入れて保持することが可能な保液空間２８ｆが構成されている。
【００６１】
内部セル２５ｆの一端側には、保液空間２４ｆ内に滞留している被検液を取り入れることが可能な流入口２６ｆが設けられている。
【００６２】
流入口２６ｆは、採液口２２ｆと対向しない位置であって、例えば、内部セル２５ｆの側壁のうち下方側等に設けるのが好ましい。このように構成することで、採液口２２ｆに向けてかけ流しされた被検液が、流入口２６ｆを介して保液空間２８ｆ内へ直接流入することを抑制することが可能となる。すなわち、採液口２２ｆに向けてかけ流された被検液を、保液空間２４ｆ内にいったん滞留させてその流速を低下させ、その後、この減速された被検液を、流入口２６ｆを介して保液空間２８ｆ内へ取り入れることにより、保液空間２８ｆ内への被検液の流入をソフトに行うことが可能となる。その結果、被検液のかけ流しの実行期間中において、内部セル２５ｆ内における被検液の撹拌状態や乱流状態の発生を抑制することができ、内部セル２５ｆ内において、被検液を、速やかに、略一定の流速で安定して流れ続ける状態、すなわち、安定したフロー状態とすることが可能となる。
【００６３】
内部セル２５ｓの他端側には、上述の排液口２３ｆが設けられている。排液口２３ｆの排液時におけるコンダクタンスは、流入口２６ｆの流入時におけるコンダクタンスよりも小さくなるように構成されている。この構成によれば、センサユニット１００を使用時姿勢で保持しつつ、保液構造２０ｓへ向けた被検液のかけ流しを継続することにより、保液空間２８ｆ内に、被検液を一時的に滞留させることが可能となる。そして、かけ流し時間の経過とともに、保液空間２８ｆ内を被検液で満たすことができる。保液空間２８ｆ内が被検液で満たされた後は、流入口２６ｆからの被検液の流入、および、排液口２３ｆからの被検液の排出がそれぞれ継続する限りは、内部セル２５ｆ内において、被検液を、流入口２６ｆから排液口２３ｆへと向かって略一定の流速で安定して流れる状態、安定したフロー状態とすることが可能となる。このフロー状態は、保液空間２４ｆ内からの被検液の排出が完了し、流入口２６ｆを介した保液空間２８ｆ内への被検液の流れ込みが終了するまで、維持されることとなる。
【００６４】
上述の構成によれば、センサユニット１００を使用時姿勢で保持しつつ、被検液のかけ流しを行うことで、保液空間２８ｆ内へ被検液を流入させ、かつ、被検液を安定なフロー状態（一定の流路、流速を有する状態）としつつ、センサ電極１０ｆへ接触させることが可能となる。そして、安定なフロー状態にある被検液をセンサ電極１０ｆへ接触させた状態で、センサ電極１０ｆに対して電圧掃引操作等を行うこと、すなわち、被検液中に含まれる特定成分の濃度測定を安定なフロー状態で行うことが可能となる。このように構成された内部セル２５ｆを、本明細書では、フローセル、或いは、流路セルとも称する。
【００６５】
ここで、内部セル２５ｆの内部形状を、毛細管現象が発現することで内部セル２５ｆ内への被検液の取り入れが促されるとともに、内部セル２５ｆ内へ取り入れた被検液の表面張力が作用することで内部セル２５ｆ内において被検液が安定なフロー状態へと状態遷移しやすくなる形状としてもよい。例えば、内部セル２５ｆ内の内部形状を、扁平な形状とすることによって、内部セル２５ｆ内への毛細管現象を利用した被検液の取り入れ作用が効果的に得られ、また、内部セル２５ｆ内へ取り入れた被検液の表面張力を利用した安定なフロー状態への状態遷移が効果的に行われるようになる。
【００６６】
なお、この安定なフロー状態は、上述のかけ流しを開始してから所定時間が経過することで発現する。そして、かけ流しが終了した後も、所定の期間中は安定なフロー状態が維持される。そして、かけ流しを終了した状態で、保液構造２０ｆを使用時姿勢でさらに長い間保持し続けると、保液空間２４ｆ内の被検液が排出されることで安定なフロー状態は消滅する。その後、保液空間２８ｆ内の被検液は、ほぼすべてが排液口２３ｆを介して排出されることになる。ただし、内部セル２５ｆ内の内部形状を上述のように扁平とした場合等には、内部セル２５ｆ内に、被検液の一部がわずかに残留する場合もある。
【００６７】
本明細書では、被検液を安定なフロー状態としつつ、センサ電極１０ｆへ接触させ、濃度測定を行う期間を、期間Ｆ２とも称する。上述したように、期間Ｆ１の開始、終了タイミングは、それぞれ、幅広く調整することが可能である。そのため、期間Ｆ２の開始タイミング（濃度測定の開始タイミング）において、液浴を予め発現させておくことができる。また、期間Ｆ１の終了タイミング（濃度測定の終了タイミング）において、液浴を消滅させずに維持することができる。
【００６８】
（本態様により得られる効果）
本態様によれば、以下に示す１つ、または、複数の効果が得られる。
【００６９】
（ａ）保液空間２８ｆ内に取り入れた被検液を安定なフロー状態としつつ、センサ電極１０ｆへ接触させることが可能となる。そして、この安定なフロー状態で、被検液中に含まれる特定成分の濃度測定を行うことが可能となる。その結果、クレアチニンなどの物質、すなわち、被検液中における拡散のみによって、充分な感度をもって濃度測定を行うことが難しい物質の濃度を測定する際に、測定の感度を増幅させ、また、測定の安定性、精度等を高めることが可能となる。また、センサ電極へのクレアチニンの供給量を増やすことで、センサ電極の表面に形成された酸化層のエッチングを効率的に進行させ、クレアチニンの濃度測定を、より速やかに開始し、また、より感度よく行うことが可能となる。
【００７０】
（ｂ）被検液のかけ流しの実行中であっても、すなわち、保液空間２４ｆ内において被検液の撹拌状態や乱流状態が発生している状態であっても、保液空間２８ｆ内に取り入れた被検液を速やかに安定なフロー状態とすることが可能となる。これにより、被検液を安定なフロー状態とすることが望ましい上述の濃度測定を、速やかに開始することが可能となる。
【００７１】
（ｃ）内部セル２５ｆの少なくとも一部を囲む被検液の液浴を発現させ、内部セル２５ｆ内に取り込まれた被検液の温度低下を抑制することが可能となる。結果として、測定結果が温度に大きく影響を受けるような測定を行う場合等においても、測定の安定性や精度を高めることが可能となる。
【００７２】
（ｄ）保液空間２４ｆの容積や、採液時、排液時における被検液の各コンダクタンス等を調整することにより、液浴が発現するタイミングや液浴が消滅するタイミングを、幅広く制御することが可能である。これにより、被検液を安定したフロー状態として濃度測定を開始するタイミングにおいて、液浴を確実に発現させておくことが可能となる。また、被検液を安定したフロー状態としながら行う濃度測定の終了タイミングにおいて、液浴を消滅させずに維持することが可能となる。これらの結果、上述した効果が、確実に得られるようになる。
【００７３】
（ｅ）かけ流しを終了した状態で、センサユニット１００を使用時姿勢で保持し続けることにより、保液空間２４ｆ、２８ｆ内からほぼすべての被検液を排出することが可能となる。その結果、使用済みのセンサユニット１００を、容易に廃棄することが可能となる。
【実施例】
【００７４】
以下、本開示の実施例について、図４、図５（ａ）、図５（ｂ）を用いて説明する。図４は、実施例におけるセンサユニットの斜視図である。図５（ａ）は、センサユニット１００の横断面透視図であり、図４において一点鎖線で示される平面Ａを厚み方向表側から見たセンサユニット１００の透視図である。図５（ｂ）は、センサユニット１００の横断面図であり、図４において二点鎖線で示される平面Ｂを側面左側から見たセンサユニット１００の側面図である。なお、後述する具体的構成（各種寸法、形状、材料等）については、以下に例示する態様に限定されるものではなく、本実施例は、その要旨を逸脱しない範囲で種々変更可能である。
【００７５】
センサユニット１００は、ＦＲＰなどの耐水性、絶縁性を有する材料からなる長尺状の基板１１０と、この基板の一端部側（先端側）の一主面上に設けられた（気密に接合、接着された）センサ電極１０ｓ、１０ｆと、センサ電極１０ｓ、１０ｆを覆うように基板１１０の一主面側に配置される保液容器１２０と、を備えている。基板１１０と保液容器１２０とにより、上述の各種態様に記載した保液構造２０ｓ、２０ｆが構成されている。被験者が、長尺状の基板１１０の測定器側（手元側）をつまみ持ち（把持し）、基板１１０の手元側（測定器側）から先端側の保液容器に向けて被検液（尿など）を流しかけることで、保液構造２０ｓ、２０ｆに被検液が静止状態、或いは、安定なフロー状態で保持されることとなり、センサ電極１０ｓ、１０ｆに、被検液が、静止状態、或いは、安定なフロー状態にて接触することが可能なように構成されている。
【００７６】
保液容器１２０は、プラスティック等の耐水性、絶縁性を有する材料からなり、横断面視が矩形の中空筒状であって、基板１１０の長手方向に沿うような長尺形状に構成されている。保液容器１２０の内部空間が、外部セル２１の内部に相当する保液空間となる。
【００７７】
保液容器１２０の端部のうち、被検液が流しかけられる側（測定器側、手元側）には、被検液を取り入れることが可能な開口である採液口２２が開設されている。保液容器１２０の端部のうち、被検液が流しかけられる側とは反対側（先端側）には、内部に流し込まれた被検液を所定の流速で排出することが可能な開口である排液口２３が開設されている。
【００７８】
採液口２２および排液口２３は、それぞれ、被検液の表面張力によって被検液の流入や排出を妨げることないような構造（内径や取り入れ長等）となっている。ただし、保液容器１２０に向かって被検液を流しかけた際に、外部セル２１内に所定の量の被検液を保持することができるよう、排液口２３のコンダクタンスは、採液口２２のコンダクタンスよりも小さくなっている。なお、本実施例では、この排液口２３は、外部セル２１の排液口としてだけでなく、後述する内部セル２５ｆの排液口としても機能するように構成されている。
【００７９】
図４の幅方向における採液口２２の内径、および、厚み方向における採液口２２の内径は、それぞれ、例えば５〜１５ｍｍ程度とすることができる。また、図４の幅方向における排液口２３の内径は、例えば２〜４ｍｍ程度、厚み方向における排液口２３の内径は０．３〜１ｍｍ程度、長手方向における排液口２３の奥行きは２〜６ｍｍ程度とすることができる。なお、外部セル２１の内部に相当する保液空間の、図４の長手方向における長さは、例えば、２０〜５０ｍｍ程度とすることができる。
【００８０】
保液容器１２０の外側面のうち、基板１１０と当接する側の面（接合面、接着面）には、その長手方向に沿って、２つの凹部（測定器側から順番に凹部１２０ｓ、凹部１２０ｆ）が形成されている。これらのうち、凹部１２０ｓと基板１１０とにより囲われる空間が、上述の内部セル２５ｓ（静止セル）の内部に相当する保液空間となる。また、これらのうち、凹部１２０ｆと基板１１０とにより囲われる空間が、上述の内部セル２５ｆ（フローセル）の内部に相当する保液空間となる。なお、基板１１０の主面のうち、凹部１２０ｓ，１２０ｆを覆う面には、それぞれ、センサ電極（測定器側から順番にセンサ電極１０ｓ，１０ｆ）が設けられている。このようにして、センサ電極１０ｓ，１０ｆは、それぞれ、内部セル２５ｓ，２５ｆに内包された状態となっている。なお、センサ電極１０ｓ、１０ｆには、測定器側から基板１１０の主面上に延在された導体配線（図示せず）がそれぞれ接続されており、図示しない測定器から、導体配線を介して、所定の電圧掃引操作等を行うことが可能なように構成されている。
【００８１】
以上述べたように、本実施例では、外部セル２１と内部セル２５ｓとが一枚の隔壁（容器１２０の側壁）を隔てて隣接した態様となっており、外部セル２１が、内部セル２５ｓの少なくとも一部を取り囲んだ状態となっている。また、外部セル２１と内部セル２５ｓとが一枚の隔壁（容器１２０の側壁）を隔てて隣接した態様となっており、外部セル２１が内部セル２５ｆの少なくとも一部を取り囲んだ状態となっている。
【００８２】
内部セル２５ｓを構成する保液容器１２０の側壁（凹部１２０ｓが形成された側壁）の一部には、被検液を外部セル２１内から内部セル２５ｓ内へと取り込むための流入口２６ｓが開設されている。流入口２６ｓは、内部セル２５ｓ内への被検液の流入を妨げることないような構造（内径や取り入れ長等）となっている。流入口２６ｓの形状は、基板１１０の幅方向に沿って開設されたスリット形状となっている。図４の幅方向における流入口２６ｓの内径は、例えば３〜５ｍｍ程度、長手方向における流入口２６ｓの内径は、例えば１〜３ｍｍ程度、厚み方向における流入口２６ｓの奥行きは、例えば０．５〜４ｍｍ程度とすることができる。なお、内部セル２５ｓ内への被検液の流入をソフトに行うため、流入口２６ｓは、凹部１２０ｓのうち、採液口２２からできるだけ離れた位置（本実施例では先端側の位置）に設けられている。
【００８３】
内部セル２５ｓを構成する基板１１０の一部（センサ電極１０ｓの周辺部）には、内部セル２５ｓ内に被検液を取り入れる際に内部セル２５ｓ内の雰囲気を排出する（ベントする）よう機能する排気口２７ｓが開設されている。排気口２７ｓは、雰囲気の流通は許容するもの、被検液の流通を抑制するような構造（内径や取り入れ長等）となっている。具体的には、排気口２７ｓ内では、被検液の表面張力が大きく作用することにより、内部セル２５ｓ内からの被検液の排出が抑制されるように構成されている。内部セル２５ｓ内からの雰囲気の排出をスムーズに行うため、排気口２７ｓは、内部セル２５ｓ内に被検液を流入させる際に鉛直上方寄りとなる位置（測定器側の位置）に設けられている。
【００８４】
内部セル２５ｓの内部形状は、内部セル２５ｓ内への毛細管現象を利用した被検液の取り入れ作用が効果的に得られ、また、内部セル２５ｓ内へ取り入れた被検液の表面張力を利用した停止作用が効果的に得られるような、いわゆる扁平な形状となっている。図４の厚み方向における内部セル２５ｆの大きさは、例えば０．５〜２．０ｍｍ程度、幅方向における内部セル２５ｆの大きさは、例えば４〜８ｍｍ程度、長手方向における内部セル２５ｆの大きさは、例えば８〜２０ｍｍ程度とすることができる。
【００８５】
内部セル２５ｆを構成する保液容器１２０の側壁（凹部１２０ｆが形成された側壁）の一部には、被検液を外部セル２１内から内部セル２５ｆ内へと取り込むための流入口２６ｆが開設されている。流入口２６ｆは、被検液の表面張力によって内部セル２５ｆ内への被検液の流入を妨げることないような構造（内径や取り入れ長等）となっている。流入口２６ｆの形状は、例えば、基板１１０の幅方向に沿って開設されたスリット形状となっている。なお、流入口２６ｆは、凹部１２０ｆのうち、上述の採液口寄りの位置（本実施例では手元側の位置）に設けられている。本実施例では、内部セル２５ｆを、内部セル２５ｓに比べて、先端側、すなわち、採液口２２から離れた側に位置していることから、流入口２６ｆをこのような位置に設けた場合であっても、内部セル２５ｆ内への被検液の流入をソフトに行うことが可能となる。
【００８６】
内部セル２５ｆを構成する保液容器１２０の側壁（凹部１２０ｆが形成された側壁）の一部（下端部）には、被検液を内部セル２５ｆから排出する排液口２３が設けられている。この排液口２３は、上述したように、保液容器１２０内、すなわち、外部セル２１内に流入し被検液を排出する排液口としても機能する。排液口２３は、被検液の表面張力によって被検液の排出を妨げることないような構造（内径や取り入れ長等）となっている。なお、外部セル２１内に所定の量の被検液を保持することができるよう、採液口２２のコンダクタンス＞排液口２３のコンダクタンスとしている点は上述したとおりであるが、本実施例では、内部セル２５ｆ内を被検液で満たすことができるよう、流入口２６のコンダクタンス＞排液口２３のコンダクタンスとしている。図４の幅方向における流入口２６ｆの内径は、例えば３〜５ｍｍ程度、長手方向における流入口２６ｆの内径は、例えば１〜３ｍｍ程度、厚み方向における流入口２６ｆの奥行きは、例えば０．５〜４ｍｍ程度とすることができる。
【００８７】
内部セル２５ｆの内部形状は、内部セル２５ｆ内への毛細管現象を利用した被検液の取り入れ作用が効果的に得られ、また、内部セル２５ｆ内へ取り入れた被検液の表面張力を利用した安定なフロー状態への状態遷移作用が効果的に得られるような、いわゆる扁平な形状となっている。図４の厚み方向における内部セル２５ｆの大きさは、例えば０．５〜２．０ｍｍ程度、幅方向における内部セル２５ｆの大きさは、例えば４〜８ｍｍ程度、長手方向における内部セル２５ｆの大きさは、例えば８〜２０ｍｍ程度とすることができる。
【００８８】
センサユニット１００を以上のように構成することにより、センサユニット１００に、上述した複数の態様における保液構造２０ｓ，２０ｆを実現することができる。これにより、上述した種々の効果が得られるようになる。
【００８９】
＜他の態様＞
以上、本開示の態様を具体的に説明した。しかしながら、本開示は上述の態様に限定されるものではなく、その要旨を逸脱しない範囲で種々変更可能である。
【００９０】
例えば、実施例として、被検液を静止状態としつつセンサ電極１０ｓへ接触させる内部セル２５ｓ、および、被検液を安定なフロー状態としつつセンサ電極１０ｆへ接触させる内部セル２５ｆを、それぞれ１つずつ備える場合について説明したが、本開示はこのような態様に限定されない。すなわち、これらのうちいずれかを１つのみ備える場合であっても、また、これらを任意の組み合わせで３つ以上備える場合であっても、上述の各種効果が同様に得られる。
【００９１】
また例えば、実施例として、内部セル２５ｓ，２５ｆを基板１１０の長手方向に沿って直列に設け、またこの際、内部セル２５ｓを採液口２２側に設け、内部セル２５ｆを排液口２３側に設ける場合について説明したが、本開示はこのような態様に限定されない。すなわち、内部セル２５ｓ，２５ｆを基板１１０の長手方向に沿って直列に設け、この際、内部セル２５ｆを採液口２２側に設け、内部セル２５ｄを排液口２３側に設けるようにしてもよい。また、内部セル２５ｓ，２５ｆを基板１１０の幅方向に沿って並列に設けるようにしてもよい。また、内部セル２５ｓ，２５ｆを基板１１０の表裏面にそれぞれ設けるようにしてもよい。
【００９２】
測定系１として、センサユニット１００が測定器２００に対して着脱可能に構成されている例について説明したが、これらを一体のものとして構成するようにしてもよい。また、判定支援装置３００を測定器２００とは別体に設ける例について説明したが、これらを一体のものとして構成するようにしてもよい。
【００９３】
＜本開示の好ましい態様：静止セル関連＞
以下、静止セルに関し、本開示の好ましい態様について付記する。
【００９４】
（付記１）
被検液中に含まれる特定成分と反応するよう構成されたセンサ電極と、
被検液を、静止状態としつつ、センサ電極へ接触させるように構成された保液構造と、
を備える電気化学センサユニット。
【００９５】
（付記２）
好ましくは、
前記保液構造は、
前記センサ電極を内包する内部セルと、
前記内部セルの少なくとも一部を囲い、外部から被検液を取り入れて前記内部セル内へ供給するよう構成された外部セルと、を備え、
前内部セルは、取り入れた被検液を、静止状態としつつ、センサ電極へ接触させるように構成されている。
【００９６】
（付記３）
また好ましくは、
前記内部セルは、前記外部セル内に滞留している被検液を取り入れることが可能な流入口と、前記外部セル内をバイパスして前記内部セル内と前記外部セルの外側とを連通させる排気口と、を有し、
前記排気口のコンダクタンスが、前記流入口のコンダクタンスよりも小さくなるように構成されている。
【００９７】
（付記４）
また好ましくは、
前記排気口は、前記内部セル内の残留雰囲気の流通を許容し、被検液の流通は許容しないように構成されている。
【００９８】
（付記５）
また好ましくは、
前記内部セルの内部形状が、前記内部セル内へ被検液を取り入れる際に毛細管現象が発現するような形状となっている。
【００９９】
（付記６）
また好ましくは、
前記内部セルの内部形状が、前記内部セル内へ取り入れた被検液が表面張力より静止するような形状となっている。
【０１００】
（付記７）
また好ましくは、
前記外部セルは、被検液を取り入れることが可能な採液口を有し、
前記採液口に向けて被検液をかけ流し、前記外部セルの内部へ被検液を取り入れている期間中（前記外部セル内において被検液の撹拌状態や乱流状態が発生している状態）において、前記内部セル内に取り入れた被検液を静止状態とすることが可能なように構成されている。
【０１０１】
（付記８）
また好ましくは、
前記外部セルは、被検液を排出することが可能な排液口を有し、
前記排液口から被検液を排出している期間中（前記外部セル内において排液動作に伴う被検液の流れが発生している状態）において、前記内部セル内に取り入れた被検液を静止状態とすることが可能なように構成されている。
【０１０２】
（付記９）
また好ましくは、
前記外部セルは、被検液を取り入れることが可能な採液口と、被検液を排出することが可能な排液口と、を有し、
前記排液口のコンダクタンスが、前記採液口のコンダクタンスよりも小さくなるように構成されている。
【０１０３】
（付記１０）
また好ましくは、
前記内部セルの少なくとも一部を囲む被検液の液浴を、前記外部セルの内部に発現させることが可能なように構成されている。
【０１０４】
（付記１１）
また好ましくは、
被検液を静止状態として濃度測定を開始するタイミングにおいて、前記液浴を前記外部セルの内部に発現させることが可能なように構成されている。
【０１０５】
（付記１２）
また好ましくは、
被検液を静止状態としながら行う濃度測定を終了するタイミングにおいて、前記液浴を前記外部セルの内部に消滅させずに維持することが可能なように構成されている。
【０１０６】
＜本開示の好ましい態様：フローセル関連＞
以下、フローセルに関し、本開示の好ましい態様について付記する。
【０１０７】
（付記１）
被検液中に含まれる特定成分と反応するよう構成されたセンサ電極と、
外部から取り入れた被検液を、定常的な流れのある状態としつつ、センサ電極へ接触させるように構成された保液構造と、を備える電気化学センサユニット。
【０１０８】
（付記２）
好ましくは、
前記保液構造は、
前記センサ電極を内包する内部セルと、
前記内部セルの少なくとも一部を囲い、外部から被検液を取り入れて前記内部セル内へ供給するよう構成された外部セルと、を備え、
前内部セルは、取り入れた被験試料を、定常的な流れのある状態としつつ、センサ電極へ接触させるように構成されている。
【０１０９】
（付記３）
また好ましくは、
前記内部セルは、前記外部セル内に滞留している被検液を取り入れることが可能な流入口と、前記内部セル内から被検液を排出することが可能な排液口と、を有し、
前記内部セルの排液口のコンダクタンスが、前記流入口のコンダクタンスよりも小さくなるように構成されている。
【０１１０】
（付記４）
また好ましくは、
前記内部セルの内部形状が、前記内部セル内へ被検液を取り入れる際に毛細管現象が発現するような形状となっている。
【０１１１】
（付記５）
また好ましくは、
前記内部セルの内部形状が、前記内部セル内へ取り入れた被検液が表面張力より定常的な流れのある状態とするような形状となっている。
【０１１２】
（付記６）
また好ましくは、
前記外部セルは、外部から被検液を取り入れることが可能な採液口を有し、
前記採液口に向けて被検液をかけ流し、前記外部セルの内部へ被検液を取り入れている期間中において、前記内部セル内に取り入れた被検液を定常的な流れのある状態とすることが可能なように構成されている。
【０１１３】
（付記７）
また好ましくは、
前記外部セルは、被検液を排出することが可能な排液口を有し、
前記排液口から被検液を排出している期間中（前記外部セル内において排液動作に伴う被検液の流れが発生している状態）において、前記内部セル内に取り入れた被検液を定常的な流れのある状態とすることが可能なように構成されている。
【０１１４】
（付記８）
また好ましくは、
前記外部セルは、被検液を取り入れることが可能な採液口と、被検液を排出することが可能な排液口と、を有し、
前記排液口のコンダクタンスが、前記採液口のコンダクタンスよりも小さくなるように構成されている。
【０１１５】
（付記９）
また好ましくは、
前記内部セルの少なくとも一部を囲む被検液の液浴を、前記外部セルの内部に発現させることが可能なように構成されている。
【０１１６】
（付記１０）
また好ましくは、
被検液を定常的な流れのある状態として濃度測定を開始するタイミングにおいて、前記液浴を前記外部セルの内部に発現させることが可能なように構成されている。
【０１１７】
（付記１１）
また好ましくは、
被検液を定常的な流れのある状態としながら行う濃度測定を終了するタイミングにおいて、前記液浴を前記外部セルの内部に消滅させずに維持することが可能なように構成されている。
【符号の説明】
【０１１８】
１０、１０ｓ、１０ｆ  センサ電極
２０、２０ｓ、２０ｆ  保液構造
２１、２１ｓ、２１ｆ  外部セル
２５ｓ、２５ｆ  内部セル
１００  電気化学センサユニット
【要約】
【課題】被験試料中の特定成分の濃度を安定して正確に検出することができる電気化学セ
ンサユニットを提供する。
【解決手段】外部から取り入れた被検液を、静止状態としつつ、被検液中に含まれる特定成分と反応する第１センサ電極へ接触させるように構成された第１保液構造と、外部から取り入れた被検液を、定常的な流れのある状態としつつ、被検液中に含まれる特定成分と反応する第２センサ電極へ接触させるように構成された第２保液構造と、をそれぞれ備える電気化学センサユニット。
【選択図】図２【図１】
0006925085.tif 000002
【図２】
0006925085.tif 000003
【図３】
0006925085.tif 000004
【図４】
0006925085.tif 000005
【図５】
0006925085.tif 000006